(57)【要約】【課題】従来の機能ポールでは、使い勝手の良さや美観などを考慮して機能機器の向きを適切に設定しようとしても、充分に対応し難い場合があるという問題点があった。【解決手段】地面に設置する断面略長方形状のポール本体１を備え、ポール本体１は、中間部分に、竪軸回りに捩った状態の捩れ部２を有すると共に、捩れ部２よりも上側における長辺側部分に、照明１１、表札１２、インターホン１４及び監視カメラ１４の少なくとも一つを取り付けるための上側取付部３を有し、捩れ部２の下側よりも上側における長辺側部分に、箱体である郵便受け１５及び棚の少なくとも一つを取り付けるための下側取付部４を有している機能ポールＰとし、機能機器の向きを適切に設定することを可能にし、中間部分に曲線的な捩れ部２を有する良好な外観体裁を有するものとした。【選択図】図１
2014173400.tif 000002
【特許請求の範囲】
【請求項１】
地面に設置する断面略長方形状のポール本体を備え、
ポール本体は、中間部分に、竪軸回りに捩った状態の捩れ部を有すると共に、
捩れ部よりも上側における長辺側部分に、照明、表札、インターホン及び監視カメラの少なくとも一つを取り付けるための上側取付部を有し、
捩れ部よりも下側における長辺側部分に、箱体及び棚の少なくとも一つを取り付けるための下側取付部を有していることを特徴とする機能ポール。
【発明の詳細な説明】
【技術分野】
【０００１】
本発明は、住宅の玄関アプローチなどに設置して、表札、インターホン及び郵便受け等の機能機器を取り付けるのに用いる機能ポールに関するものである。
【背景技術】
【０００２】
この種の機能ポールとしては、非特許文献１に記載されているものがある。非特許文献１に記載の機能ポールは、矩形や多角形の断面を有するポール本体を備え、このポール本体を地面に設置すると共に、適宜の箇所に、照明、表札、インターホン及び郵便受けを取り付けた構成である。
【先行技術文献】
【非特許文献】
【０００３】
【非特許文献１】三協立山アルミ株式会社、『エクステリア・総合カタログ・２０１２−２０１３』、２０１２年３月発行、ｐ．１３６−１４１
【発明の概要】
【発明が解決しようとする課題】
【０００４】
ところで、住宅の玄関アプローチは、その形態が多種多様である。このため、上記したような従来の機能ポールでは、使い勝手の良さや美観などを考慮して機能機器の向きを設定しようとしても、充分に対応し難い場合があるという問題点があり、このような問題点を解決することが課題であった。また、このような問題点は、玄関アプローチが比較的狭い場合に、より顕著に生じていた。
【０００５】
本発明は、上記従来の課題に着目して成されたもので、住宅の玄関アプローチなどに設置する機能ポールであって、狭小地であっても、機能機器を向きを適切に設定することが可能であり、外観体裁も良好な機能ポールを提供することを目的としている。
【課題を解決するための手段】
【０００６】
本発明の機能ポールは、地面に設置する断面略長方形状のポール本体を備え、ポール本体は、中間部分に、竪軸回りに捩った状態の捩れ部を有すると共に、捩れ部よりも上側における長辺側部分に、照明、表札、インターホン及び監視カメラの少なくとも一つを取り付けるための上側取付部を有し、捩れ部よりも下側における長辺側部分に、箱体及び棚の少なくとも一つを取り付けるための下側取付部を有している構成としており、上記構成をもって課題を解決するための手段としている。
【０００７】
上記構成において、ポール本体の断面形状は、略長方形状であって、長方形状だけでなく長方形状に近似した形状も含み、長辺及び短辺の少なくとも一方に曲線や凹凸などを有する形状であっても良い。上記構成のポール本体において、上側及び下側の取付部は、断面上で長辺側となる部分である。
【０００８】
上記構成の機能ポールは、設置する向きを自由に選択することが可能であるが、例えば玄関アプローチの途中に設置する場合には、下側取付部が、通行人の動線に対して平行になるようにすると共に、上側取付部が、敷地外側に向くようにして設置することがより望ましい。
【発明の効果】
【０００９】
本発明の機能ポールは、上記構成を採用したことにより、狭小地であっても、照明、表札、インターホン及び監視カメラといった上側の機能機器、並びに箱体及び棚といった下側の機能機器を夫々適切な向きにして設定することが可能であると共に、中間部分に曲線的な捩れ部を有する良好な外観体裁を有するものとなる。
【図面の簡単な説明】
【００１０】
【図１】本発明に係わる機能ポールの一実施形態を説明する斜視図である。
【図２】図１に示す機能ポールの平面説明図である。
【図３】機能ポールを玄関アプローチに設置した状態を説明する平面図である。
【図４】本発明に係わる機能ポールの他の実施形態を説明する斜視図である。
【発明を実施するための形態】
【００１１】
以下、図１〜図３に基づいて、本発明の機能ポールの一実施形態を説明する。
すなわち、図１に示す機能ポールＰは、住宅の玄関アプローチに設けるもので、地面に設置する断面略長方形状のポール本体１を備えている。ポール本体１は、扁平な断面長方形状を有する中空の長尺材であって、中間部分に、竪軸回りに捩った状態の捩れ部２を有している。
【００１２】
この実施形態のポール本体１は、上端部寄りの中間部分に捩れ部２を有し、下側部分に対して上側部分を約４５度捩ったものとなっている。このポール本体１は、捩り加工により成形することができ、捩り部２の位置やその捩り角度を自由に選択することが可能である。また、ポール本体１は、捩り加工で一体的に成形することで、上側部分と下側部分とが捩れ部２によって滑らかに連続し、美しい外観体裁を有するものとなる。
【００１３】
さらに、ポール本体１は、捩れ部２よりも上側における長辺側部分（断面上で長辺側となる部分）に、照明、表札、インターホン及び監視カメラの少なくとも一つを取り付けるための上側取付部３を有しており、この実施形態では、図２にも示すように、照明１１，表札１２、及びカメラ１３を有するインターホン１４が上側から順に取り付けてある。なお、図示例の場合、ポール本体１における上側取付部３は、断面上で二つの長辺のうちの一方の長辺側部分の外面である。
【００１４】
さらに、ポール本体１は、捩れ部２よりも下側における長辺側部分（断面上で長辺側となる部分）に、箱体及び棚の少なくとも一つを取り付けるための下側取付部４を有しており、この実施形態では、図２にも示すように、箱体の一例である郵便受け１５が取り付けてある。図示の郵便受け１５は、長辺を竪にした矩形状の正面を有する直方体であり、正面に受け口１５Ａを有し、背面に開閉可能な取出口（図示せず）を有している。なお、図示例の場合、ポール本体１における下側取付部４は、断面上で二つの長辺のうちの一方の長辺側部分の外面である。
【００１５】
ここで、機能ポールＰは、住宅の玄関アプローチに設けることから、上記の照明、表札、インターホン及び監視カメラは、代表的な上側の機能機器であり、また、上記の箱体及び棚は、代表的な下側の機能機器である。箱体としては、図示した郵便受け１５のほか、宅配品受けや牛乳受けなどの配達物受けなどが挙げられる。棚としては、植木鉢、プランターその他の装飾品を載置する棚、及びそれに類するものが挙げられる。なお、機能ポールＰは、上記以外の機能機器を取り付けることも当然可能である。
【００１６】
上記の機能ポールＰは、図３中に点線で示す玄関アプローチＡの途中に設置する。図示の玄関アプローチＡは、図外の上側に玄関があって、下側が敷地の外側であり、通行人の動線が上下方向である。この玄関アプローチＡにおいて、機能ポールＰは、下側取付部４が、通行人の動線に対して平行になるようにすると共に、上側取付部３が、敷地外側に向くようにして設置される。
【００１７】
なお、機能ポールＰは、設置する向きを選択することは自由であるが、例えば、玄関アプローチＡの幅が比較的狭い場合には、断面長方形状の長辺側の大部分（ポール本体１の下側部分）が動線と平行になる向き、換言すれば、断面長方形状の短辺の大部分が正面となる向きにした方が、玄関アプローチＡの幅を広く見せる点で良好な印象を与えることができる。
【００１８】
これにより、機能ポールＰは、照明１１、表札１２、監視カメラ１３を有するインターホン１４を、敷地の外側に向けた状態にし、郵便受け１５の受け口１５Ａを敷地の外側に向けると共に、郵便受け１５の取出口を玄関側に向けた状態にする。
【００１９】
したがって、図３に示すように、訪問者Ｍは、仮想線のように敷地内に入らなくても、表札１２の確認やインターホン１４の操作を敷地外から容易に行うことができる。また、監視カメラ１３も外向きとなるので、敷地外に対する視野が大きく確保される。さらに、郵便受け１５は、配達物の投入や住人による取り出しが容易である。
【００２０】
このように、上記実施形態の機能ポールＰは、狭小地であっても、照明１１、表札１２、インターホン１４及び監視カメラ１３といった上側の機能機器、並びに郵便受け１５を含む箱体及び棚といった下側の機能機器を夫々適切な向きにして設定することが可能である。しかも、機能ポールＰは、中間部分に曲線的な捩れ部２を有しており、この捩れ部２が特徴的であって、非常に良好な外観体裁を有するものとなる。
【００２１】
図４は、本発明に係わる機能ポールの他の実施形態を説明する図である。なお、先の実施形態と同一の構成部位については、同一の符号を付して詳細な説明を省略する。
【００２２】
図示の機能ポールＰは、捩れ部２、上側取付部３及び下側取付部４を有するポール本体１を備えている。上側取付部３には、照明１１，表札１２、及びカメラ１３付きのインターホン１４が上側から順に取り付けてある。また、下側取付部４には、箱体の一例である郵便受け１５と、その下側に配置した棚１６が取り付けてある。棚１６には、例えば、植木鉢やプランター、その他の装飾品類などを載置することができる。
【００２３】
そして、上記の機能ポールＰは、照明１１、表札１２、監視カメラ１３付きインターホン１４を敷地の外側に向けた状態にして設置される。このようにして、機能ポールＰは、先の実施形態と同様に、狭小地であっても、上側の機能機器（１１〜１４）や、下側の機能機器（１５，１６）を夫々適切な向きにして設定することが可能であると共に、中間部分の曲線的な捩れ部２により、非常に良好な外観体裁を有している。
【００２４】
なお、本発明に係わる機能ポールは、その構成が上記実施形態のみに限定されるものではなく、本発明の要旨を逸脱しない範囲で構成を変更することが可能であり、例えば、ポール本体を上側取付部、捩れ部、及び下側取付部の部分で別体にし、これらを連結した構成にしても良い。また、ポール本体は、中空材に限らず、中実材（ソリッド材）であっても良い。
【００２５】
さらに、ポール本体の断面形状は、略長方形状であって、長方形状だけでなく長方形状に近似した形状も含み、このほか、片側若しくは両側の短辺部分に凹部を有するものや、長辺及び短辺の少なくとも一方が曲線であるものなどを採用することが可能である。
【００２６】
さらに、上記実施形態では、ポール本体において、断面上で二つの長辺のうちの一方の長辺側部分の外面に、上下の取付部を設けた場合を例示したが、例えば、ポール本体に取付部としての凹部を形成して、この凹部に機能機器の一部若しくは全部を埋め込むような構成にすることも可能であり、このほか、断面上で二つの長辺のうちの両方の長辺側部分に上下の取付部を設けたり、断面上で短辺側となる部分に機能機器を取り付けたりすることも可能である。
【符号の説明】
【００２７】
Ｐ    機能ポール
１    ポール本体
２    捩れ部
３    上側取付部
４    下側取付部
１１  照明
１２  表札
１３  監視カメラ
１４  インターホン
１５  郵便受け（箱体）
【図１】
2014173400.tif 000003
【図２】
2014173400.tif 000004
【図３】
2014173400.tif 000005
【図４】
2014173400.tif 000006